(57)【要約】      （修正有）【課題】菜園、果樹の防鳥網を折り畳み傘式の支持装置で、支柱（柄）一本にて形状及び高さの設定が可能な装置を提供する。【解決手段】菜園・果樹の鳥害防止を目的とするものであって、折り畳み傘の押し開き部分の傘骨１に継ぎ足しの傘骨８をさしこむことにより菜園、果樹の形状・高さに合わせて防鳥網を設置するものである。【選択図】図３
0003214169.tif 000002
【実用新案登録請求の範囲】
【請求項１】
折り畳み傘の上部、押し開き部の構造を活用し、傘の骨の先端部に更に骨を継ぎ足すことにより菜園の地形（丸形、四角形、長四角形）に合わせた、防鳥網を支柱（柄）一本にて設置する装置。
【請求項２】
支柱（柄）一本の高さを伸縮（釣竿方式）により確保し、丸型防鳥網にて全体を覆うことを特徴とする請求項１に記載の装置。
【請求項３】
支柱（柄）一本にて囲い、覆う広さ高さが限定されるが、この装置を連結することにより広範囲に防鳥網を設置できる請求項１乃至請求項２に記載の装置。
【考案の詳細な説明】
【技術分野】
【０００１】本考案は、菜園の地形、果樹の形状と高さに合わせた防鳥網を支柱（柄）一本にて設置する装置である。
【背景技術】
【０００２】菜園の鳥害の防止には、各地形の四隅に支柱を立てて、その支柱に梁を渡した上に防鳥網をかけて覆うことで対応している。この為に、防鳥網内での作業性を損なわない高さで必要な広さを確保するには、多大の手間と費用が必要である。【０００３】果樹の鳥害防止には、樹高が高く、傾斜地や不整形ほ場においては設置作業が困難である。
また、自然災害に耐えうる強度を保つためには資材が必要となり設置工事も多額の費用がかかる。
【先行技術文献】
【０００４】
【特許文献１】特開２０１５−２１１７１５
【特許文献２】特開２０１０−２２３４９（Ｐ２０１０−２２３４９Ａ）
【特許文献３】特開２００９−１４２２５４（Ｐ２００９−１４２２５４Ａ）
【特許文献４】特開２００５−１１６（Ｐ２００５−１１６Ａ）
【特許文献５】実用新案登録第３２０８８２６号（Ｕ３２０８８２６）
【０００５】特許文献１については、傘そのものの機能と人の頭に取り付け可能とのことであり本考案の防鳥網の主旨とは全く異なる。
特許文献２については、防鳥網の形状のみであり設置支持装置を含むものではない。
特許文献３については、４本の傘骨だけの防鳥網支持の為囲う範囲は直径を対角線とする四角型の地形の範囲となる。また、高さも伸縮不可の為本考案のフレキシブルな設置支持装置とは異なる。
特許文献４については、防鳥網を単に下から持ち上げるのみであり前後左右に網が垂れ下がり防鳥網内での作業に支障をきたす。
特許文献５については、特許文献３と同様に、防鳥網は丸型及び四角型のみであり長四角型は対応できない。高さ広さに合わせた支持装置が必要であり、特に果樹の垂れ下がり部分の防鳥網を取り付ける際は別の防鳥網が必要となりそれを取り付ける作業は困難である。
【考案の概要】
【考案が解決しようとする課題】
【０００６】この考案は、前記従来の防鳥網、支柱（傘式）特許文献に記載されたような支持装置での設置方法ではなく地形および防鳥網内での作業性を確保できる高さを簡便に設定し、支柱（柄）一本にて設置するものである。
【課題を解決するための手段】
【０００７】この考案は、中心となる押し開き傘骨に菜園の地形に合わせるために計算された寸法の継ぎ足し骨を差し込んで地形に合わせる。
次に、傘頭部に防鳥網をセットし押し開き部を上に押し上げて傘の骨を広げる。その後、網を地形に合わせた傘骨と継ぎ足し傘骨にそって広げ、継ぎ足し傘骨の先端をクリップ部に引っ掛けて菜園全体を覆うことにより支柱一本で設置できるので多大な手間がかからない。【０００８】  果樹においては、木の円周と直径及び高さを確認した後前述のように継ぎ足し傘骨を差し込み直径の広さを確保するとともに、高さは支柱の伸縮（釣竿方式）により設定できる。防鳥網のセットの方法は前述と同じである。
【考案の効果】
【０００９】この考案は、支柱（柄）一本にて地形、樹形に合った防鳥網が設置可能であるので多大な手間及び費用の削減ができる。
また、農作物収穫後は速やかに取り外すとこも可能であり再利用できる。
【図面の簡単な説明】
【００１０】
【図１】菜園での防鳥網設置例
【図２】果樹を囲う防鳥網設置例
【図３】この考案の、折り畳み傘式の押し開き部分、支柱伸縮部分、継ぎ足し傘骨部分を示した全体構造図である。
【図４】押し開き傘骨と継ぎ足し傘骨の差し込みと、その先端の網固定（クリップ）の部分図である。
【図５】丸型の形状である。
【図６】四角型の形状である。
【図７】長四角型の形状である。
【図８】押し上げ上下移動輪架と上部固定輪架と防鳥網取付キャップである。
【図９】長四角型の形状に対応するための、図８の上下輪架の寸法図である。
【図１０】丸型に合わせた防鳥網の形状である。
【図１１】四角型に合わせた防鳥網の形状である。
【図１２】長四角型に合わせた防鳥網の形状である。
【考案を実施するための形態】
【００１１】  菜園の形状、果樹の円周、直径、高さを実測した上で、以下実施例に沿ってこの考案の実施形態を説明する。
【実施例】
【００１２】図１・図２は、菜園と果樹に防鳥網を設置した例である。【００１３】図３については、通常の折り畳み傘の構造であり、１、２は３を押し上ることにより開くとともに３を固定することにより開いた状態を保つ。
その際、１の傘骨の先端は継ぎ足し傘骨の差し込み穴を持っている。
５、６、７は、高さを確保するための伸縮支柱（釣竿式）である。なお、この支柱の材質は屋外使用のため耐蝕性のあるカーボンロッド、グラスファイバーロッド等での対応とする。
９は防鳥網の中心を固定、セットするための取り付けキャップでネジ込みキャップである。
図３は一例として８本傘骨としているが、押し開き部の傘骨数は使用目的に対応した傘骨数を採択できる為特段に制限されない。【００１４】菜園の形状、果樹の円周・直径の実測により、図５の丸型（８−ａ）、図６の四角型（８−ｂ、８−ｃ）、図７の長四角型（８−ｄ、８−ｅ、８−ｆ）の継ぎ足し傘骨長さの寸法を決め図４の１の差し込み穴に差し込む。【００１５】図４は差し込み傘骨であるが、形状は丸棒、パイプ、角材が利用できるが材質は屋外使用のため、耐蝕性のある金属、プラスチック等でも可能である。
また、先端は下向きに網ををクリップするための曲げ加工をしたものである。【００１６】図５、図６、図７の１０−ａ、１０−ｂ、１０−ｃ、１０−ｄはテグスである。
傘骨間をつなぐもので地形に合わせた傘骨をセットする際、傘骨１と８の先端に取り付ける。
防鳥網をセットする際に必要である。【００１７】図８は傘骨を押し上げる上下移動輪架３と上部固定輪架４と防鳥網の取付けキャップ９である。
地形の対称形状及び非対称形状に傘骨を対応させる為の８本の傘骨の直角方向、４５°方向を示したものである。【００１８】図９は長四角型の形状及び非対称型の形状での４５°方向の傘骨・梃子骨及び上下輪架の寸法図を示したものである。
この輪架にて１の傘骨と８の継ぎ足し傘骨との組み合わせにより種々の地形に合わせた型にできる。【００１９】図１０、図１１、図１２は丸型、四角型、長四角型で設置高さの垂れ下がりを持った防鳥網である。
この網の中心の丸穴を図１の９にセットしネジ込みキャップにて固定する。その際、この防鳥網を長手方向に左右で巻き上げ棒状にした状態で取り付ける。
棒状にする場合の結束はすぐに解ける結び方にする。
また、四隅の開口部は防鳥網内への出入り口となる。【００２０】棒状の防鳥網を押し開き部を閉じた状態でセットしたら、押し開き部を押し上げて傘骨を広げる。このとき段落００１６のテグスが防鳥網を持ち上げる。
その後、棒状にしている防鳥網の縛りを解き広げる。
広げて網が型通りの形になり高さも設定通りとなったら、継ぎ足し傘骨の先端（８−ｇ）に網を引っ掛け固定する。【００２１】網の材質は特に制限されないが、強度や軽量化の面で好ましいのはナイロン・テトロン等の化学繊維で傘骨への荷重の負荷を少なくするとともに、設置後支柱を中心に四隅に杭を打ち、杭に網を縛れば網そのものの強度にて風雨にも耐えうる。【００２２】防鳥網の鳥別網目（メッシュ）の目安は、１４０ｍｍ×１４０ｍｍ（烏用）、４５ｍｍ×４５ｍｍ（鵯用）、１５ｍｍ×１５ｍｍ（雀用）等であるが標準的な網目としては２０ｍｍ×２０ｍｍ〜４５ｍｍ×４５ｍｍである。【００２３】防鳥網は鳥が警戒することを目的とするもので、白を基調にした着色網を使用するのが最も好ましい。【００２４】支柱（柄）は３本の杭にて囲い、結束すれば全方向の風に耐えうる。
【符号の説明】
【００２５】１．傘骨
２．押し上げ梃子骨
３．押上げ上下移動輪架
４．上部固定輪架
５．６．７．支柱（柄）
８．継ぎ足し傘骨
９．防鳥網取付キャップ
１０．テグス
１１．１２．１３．防鳥網
【図１】
0003214169.tif 000003
【図２】
0003214169.tif 000004
【図３】
0003214169.tif 000005
【図４】
0003214169.tif 000006
【図５】
0003214169.tif 000007
【図６】
0003214169.tif 000008
【図７】
0003214169.tif 000009
【図８】
0003214169.tif 000010
【図９】
0003214169.tif 000011
【図１０】
0003214169.tif 000012
【図１１】
0003214169.tif 000013
【図１２】
0003214169.tif 000014